(57)【要約】【課題】  所定の領域を所定の角度以内の入射角を持つ光で照明することで照明効率を向上することができる照明装置およびそれを用いた投射型表示装置を提供する。【解決手段】  光源１０と、光源１０の一方の光出射面側に配置されたコリメータレンズ２０と、光源１０の他方の光出射面側に配置された楕円リフレクター３０とを備え、コリメータレンズ２０が、コリメータレンズ２０の前側焦点２２位置と光源１０における発光部または光源１０におけるパッケージのレンズ効果によってできる虚像の位置とが略同一となる位置に配置され、楕円リフレクター３０が、楕円リフレクター３０の第１焦点３２位置と発光部または虚像の位置とが略同一となり、楕円リフレクター３０の第２焦点３３位置とコリメータレンズ２０の前側主点２１位置とが略同一となる位置に配置されたことを特徴とする。【選択図】  図１
2005062446.tif 000002
【特許請求の範囲】
【請求項１】
光源と、該光源の一方の光出射面側に配置されたコリメータレンズと、前記光源の他方の光出射面側に配置された楕円リフレクターとを備え、
前記コリメータレンズが、該コリメータレンズの前側焦点位置と前記光源における発光部または前記光源におけるパッケージのレンズ効果によってできる虚像の位置とが略同一となる位置に配置され、
前記楕円リフレクターが、該楕円リフレクターの第１焦点位置と前記発光部または前記虚像の位置とが略同一となり、前記楕円リフレクターの第２焦点位置と前記コリメータレンズの前側主点位置とが略同一となる位置に配置されたことを特徴とする照明装置。
【請求項２】
前記楕円リフレクターの前記第１焦点における直径が、前記光源の最大外径の略１倍から略１．５倍であることを特徴とする請求項１記載の照明装置。
【請求項３】
照明装置と、該照明装置からの光を変調する光変調手段と、該光変調手段によって変調された光を投射する投射手段とを備えた投射型表示装置であって、
前記照明装置が請求項１から２のいずれかに記載の照明装置であることを特徴とする投射型表示装置。
【発明の詳細な説明】
【技術分野】
【０００１】
本発明は、照明装置および投射型表示装置に関する。
【背景技術】
【０００２】
照射装置から照射された光を液晶ライトバルブ等の光変調手段に入射させ、光変調手段から出射された映像光を投射レンズ等によりスクリーンに拡大投射させる、プロジェクタ等の投射型表示装置が広く知られている。図５（ａ）は、従来技術に係る照明装置の側面断面図である。照明装置１００には光源１１０が設けられている。一般に、光源１１０は放射状に光を照射する。そこで、光源から放射状に照射された光を後方（下流側）に反射するリフレクター（凹面鏡）１２０が、光源１１０の側方に設けられている。なお、液晶ライトバルブ等の光変調手段に対する光の入射角が大きくなると、画像のコントラスト比が低下するという問題が生じる。そこで、反射光が平行光となるパラボラ型のリフレクター１２０が採用されている。
【特許文献１】特開平１０−３１１９４４号公報
【発明の開示】
【発明が解決しようとする課題】
【０００３】
しかしながら、光軸に対して所定角度α以上の角度で光源１１０から照射された光１４０はリフレクター１２０に入射するが、所定角度α以下の角度で照射された光１４２はリフレクター１２０に入射しない。そして、リフレクター１２０に入射しない光１４２は放射状に直進し、投射型表示装置の画像表示に利用されない。したがって、光の利用効率が低いという問題がある。
なお、光源から照射された光の強度は、光軸に対する角度が小さいほど強く、角度が大きいほど弱くなる傾向にある。そのため、光軸に対して所定角度α以下の角度で照射された光が利用できないと、光の利用効率は著しく低下することになる。また、プロジェクタ等の投射型表示装置では、スクリーン上に投射された画像の輝度の確保が重要な課題になっている。したがって、光の利用効率の低下は、投射型表示装置の性能に重大な影響を与えることになる。
【０００４】
これに対して、特許文献１には、凹レンズを用いた照明装置が開示されている。図５（ｂ）は、特許文献１に係る照明装置の側面断面図である。この照明装置２００では、楕円形状のリフレクター２２０の第１焦点位置に、ランプ２１０の発光部が配置されている。また、リフレクター２２０の第１焦点位置と第２焦点位置との間に、凹レンズ２３０が配置されている。そして、ランプ２１０から照射されリフレクター２２０で反射された光２４０は、第２焦点位置に向かう途中で凹レンズ２３０に入射し、負の方向に屈折して概略平行光となる。一方、ランプ２１０から照射され直接凹レンズ２３０に入射した光２４２は、発散光となって凹レンズ２３０から出射される。
【０００５】
しかしながら、特許文献１の構成では、ランプ２１０の発光部を覆うガラス部分がレンズ効果を有するため、凹レンズ２３０の前側焦点に発光部の像を結ぶことができないという問題がある。また、ランプ２１０から照射され直接凹レンズ２３０に入射した光は発散光となるため、照明したい所定の領域を所定の角度以内の入射角を持つ光で照明することが困難となる。つまり、光の利用効率を十分に確保することが困難であるという問題がある。
【０００６】
本発明は、上記の課題を解決するためになされたものであって、所定の領域を所定の角度以内の入射角を持つ光で照明することで照明効率を向上することができる照明装置およびそれを用いた投射型表示装置を提供することを目的とする。
【課題を解決するための手段】
【０００７】
上記目的を達成するために、本発明の照明装置は、光源と、該光源の一方の光出射面側に配置されたコリメータレンズと、前記光源の他方の光出射面側に配置された楕円リフレクターとを備え、前記コリメータレンズが、該コリメータレンズの前側焦点位置と前記光源における発光部または前記光源におけるパッケージのレンズ効果によってできる虚像の位置とが略同一となる位置に配置され、前記楕円リフレクターが、該楕円リフレクターの第１焦点位置と前記発光部または前記虚像の位置とが略同一となり、前記楕円リフレクターの第２焦点位置と前記コリメータレンズの前側主点位置とが略同一となる位置に配置されたことを特徴とする。
【０００８】
すなわち、本発明の照明装置は、上記発光部または上記虚像の位置と上記前側焦点の位置とが略同一なので、発光部から出射されコリメータレンズに入射する光は、コリメータレンズにより平行光化される。そのため、所定の領域を所定の角度以内の入射角を持つ光で照明することができ、照明効率を向上することができる。
また、上記発光部または上記虚像の位置と上記第１焦点の位置とが略同一であり、上記前側主点の位置と上記第２焦点の位置とが略同一であるため、発光部から出射され楕円リフレクターに入射する光は、上記主点位置近傍に集光するように反射される。そのため、反射された光の所定の領域に入射する入射角が小さくなり、所定の領域を所定の角度以内の入射角を持つ光で照明することができ、照明効率を向上することができる。
【０００９】
上記の構成を実現するために、より具体的には、楕円リフレクターの第１焦点位置における直径が、光源の最大外径の略１倍から略１．５倍であることが望ましい。
この構成によれば、楕円リフレクターの第１焦点位置における直径が、小さくても光源の最大外径の略１倍の大きさであるので、光源から楕円リフレクター側に出射される光は全てコリメータレンズ側に反射することができる。また、上記第１焦点位置における直径が、大きくても光源の最大外径の略１．５倍の大きさであるので、楕円リフレクターに反射された光が照明する所定の領域に入射する入射角が所定の角度より大きくなることを防ぐことができる。そのため、所定の領域を所定の角度以内の入射角で照明する光を確保することができ、照明効率の低下を防止することができる。
また、上記第１焦点位置における直径の上限を、光源の最大外径の略１．５倍としているため、従来の放物面リフレクターなどを持つ照明装置よりも照明効率を損なうことなくその大きさを小さくすることができる。
【００１０】
本発明の投射型表示装置は、照明装置と、照明装置からの光を変調する光変調手段と、光変調手段によって変調された光を投射する投射手段とを備えた投射型表示装置であって、前記照明装置が上記本発明の照明装置であることを特徴とする。
すなわち、本発明の投射型表示装置は、上記本発明の照明装置を用いているため、光変調手段に入射する光の入射角が所定の角度以内となり、コントラスト比が高く明るい質の高い画像を投射することができる。
また、照明装置の大きさを小型化することができるため、投射型表示装置の大きさも小型化することができる。
【発明を実施するための最良の形態】
【００１１】
〔照明装置〕
[第１の実施の形態]
以下、本発明における第１の実施の形態について図１および図２を参照して説明する。
図１は、本実施形態に係る照明装置の側面断面図である。
本実施形態に係る照明装置１は、主に、光源１０と、光源１０から照射された光を屈折させて平行光に変換するコリメータレンズ２０と、光源１０から照射された光を反射する楕円リフレクター３０と、によって構成されている。
【００１２】
本実施の形態においては、光源１０として発光ダイオード（以下、ＬＥＤという）素子等の固体光源を用いている。ＬＥＤ素子は、主に、ｐ型半導体およびｎ型半導体を接合したＬＥＤチップと、Ａｌ等の導電材料からなる一対の電極と、樹脂等の透明材料からなるパッケージとによって構成されている。
ＬＥＤチップの一方端面は、一対の電極のうち一方の電極の上面に面接合されている。また、ＬＥＤチップの他方端面と、一対の電極のうち一方の電極の上面とは、ワイヤボンディングによって接続されている。そして、一対の電極およびＬＥＤチップの全体が、パッケージによって密閉封止されている。このパッケージは、ＬＥＤチップから出射された光が屈折してレンズ効果を示さない形状または材質を有するものを使用している。例えば、このパッケージの光出射側の形状がレンズ効果を示さない略平面形状に形成されている例を挙げることができる。なお、一対の電極からパッケージの外部にリードフレームが引き出され、外部からの通電が可能になっている。
なお、光源１０としては、上述したＬＥＤ素子等の固体光源だけでなく、ハロゲンランプやメタルハライドランプ、高圧水銀ランプなどを用いてもよい。
【００１３】
ＬＥＤは、接合部に電流が流れると光を放射するダイオードである。単純なホモ接合構造のＬＥＤは、ｐ型半導体およびｎ型半導体の結晶が同じ材料で構成されたものである。ホモ接合構造のＬＥＤに順バイアス電圧を印加すると、n型半導体の電子がp型半導体に移動し、エネルギーの高い伝導帯からエネルギーの低い価電子帯に落ちて正孔と再結合する。その際に失われるエネルギーが光として放出され、ＬＥＤが発光する。なお、放出される光の色は伝導帯と価電子帯のエネルギー差（バンドギャップ）に左右され、バンドギャップは使用する半導体材料によって決定される。例えば、ＡｌＧａＡｓ等を使用すれば赤色に発光し、ＧａＰ等を使用すれば緑色に発光し、ＩｎＧａＮ等を使用すれば青色に発光する。このように、ＬＥＤは単色光源となる。
【００１４】
なお、ホモ接合構造のＬＥＤでは発光効率が低いため、光源１０にはダブルへテロ接合構造や量子井戸接合構造のＬＥＤを採用するのが好ましい。ダブルへテロ接合構造のＬＥＤは、ｐ型半導体およびｎ型半導体の間に、バンドギャップの小さい活性層を挟み込んだものである。ダブルへテロ接合構造のＬＥＤに順バイアス電圧を印加すると、電子および正孔は活性層に閉じ込められて密度が高くなる。これにより、効率よく再結合が行われて高い発光効率を得ることができる。また、量子井戸接合構造のＬＥＤは、ｐ型半導体およびｎ型半導体の間に、電子の波長（約１０ｎｍ）程度に薄い複数の半導体層を挟み込んだものである。量子井戸接合構造のＬＥＤに順バイアス電圧を印加すると、所定のエネルギーを有する電子および正孔のみを接合領域に集めることができる。これにより、効率よく再結合が行われて高い発光効率を得ることができる。また、波長幅が小さく単色に近い光を得ることができる。このように発光効率の高いＬＥＤを、プロジェクタ等の投射型表示装置の光源として採用することにより、画像の輝度を向上させるとともに、消費電力を低下させることができる。
【００１５】
コリメータレンズ２０は、図１に示すように、光源１０における照明装置１の光出射方向（図１において右方向）の面側であって、システム光軸Ｃ上に配置されている。コリメータレンズ２０の前側主点２１から前側焦点２２までの距離（焦点距離）はｆ１であり、コリメータレンズ２０は、コリメータレンズ２０の前側焦点２２と光源１０の発光部とが略一致するように配置されている。
【００１６】
楕円リフレクター３０は光源１０における照明装置１の光出射方向の逆方向（図１において左方向）の面側であって、システム光軸Ｃと楕円リフレクター３０の長軸とが略一致するように、かつ凹面が光源１０側になるように配置されている。楕円リフレクター３０の内面は、光源１０からの光を反射するように鏡面状態とされている。
また、楕円リフレクター３０と光軸Ｃとが交わる点と基点３１とすると、基点３１から第１焦点３２までの距離（第１焦点距離）がｆ２であり、基点３１から第２焦点３３までの距離（第２焦点距離）がｆ３である。楕円リフレクター３０は、楕円リフレクター３０の第１焦点３２と光源１０の発光部とが略一致するとともに、楕円リフレクター３０の第２焦点３３とコリメータレンズ２０の前側主点２１とが略一致するように配置されている。
さらに、楕円リフレクター３０の第１焦点３２における直径、つまり、楕円リフレクター３０を第１焦点３２においてシステム光軸Ｃに垂直な面で切断した切断面に現れる円の直径は、光源１０の最大外径（光源１０の外接円の直径）に対して１倍から１．５倍となるように形成されている。これは、上記直径が１倍よりも小さくなると、光源１０から楕円リフレクター３０に向けて出射される光を全て反射することができなくなり、光の利用効率が低下してしまうためである。また、上記直径が１．５倍よりも大きくなると、楕円リフレクター３０の周辺部から反射された光のシステム光軸Ｃに対する角度が大きくなり、光の利用効率が低下してしまうためである。
【００１７】
次に、上記の構成からなる照明装置１における作用について説明する。
光源１０から放射状に照射された光のうち、コリメータレンズ２０に向けて照射された光２０は、前側焦点２２が光源１０の発光部に配置されているため、コリメータレンズ２０により平行光４１に変換されて照明装置１から出射される。
また、光源１０から楕円リフレクター３０に向けて放射状に照射された光４２は、第１焦点３２が光源１０の発光部に配置されているため、第２焦点３３の近傍に集光するように反射される。反射された光４３はシステム光軸Ｃに対する角度が小さくなり、光源１０およびコリメータレンズ２０を透過して、照明装置１から出射される
【００１８】
次に本発明の照明装置における照明効率のシミュレーション結果について、従来の照明装置のシミュレーション結果と比較して説明する。
図２（ａ）は、従来の照明装置のシミュレーションに用いたモデルの概略図であり、図２（ｂ）は、本発明の照明装置のシミュレーションに用いたモデルの概略図である。
シミュレーションに用いる光源としては、縦１ｍｍ、横１ｍｍの正方形ＬＥＤチップを用いて、ＬＥＤチップから出射される光の配光をランバート分布とした。
従来の照明装置のモデルにおいては、図２（ａ）に示すように、上述した光源１０の裏面にミラーＭを配置し、光出射方向にコリメータレンズ２０を配置した。これにより、ミラーＭ方向に出射された光は、ミラーＭによりコリメータレンズ２０側に向かって反射される。コリメータレンズ２０の前側焦点は光源１０の発光部に位置し、光源１０から出射された光でコリメータレンズ２０に入射した光は、平行光化されてコリメータレンズ２０から出射される。
本発明の照明装置のモデルにおいては、図２（ｂ）に示すように、上述した光源１０の裏面に楕円リフレクター３０を配置し、光出射方向にコリメータレンズ２０を配置した。シミュレーションに用いた楕円リフレクター３０の第１焦点の直径は２ｍｍであり、光源１０の最外径（略１．４１ｍｍ）の略１．４２倍である。また、光源１０とコリメータレンズ２０と、楕円リフレクター３０との相対位置関係は上述した本発明における第１の実施の形態と同様であるのでその説明を省略する。
【００１９】
照明効率としては、光源１０から出射される光量に対する、照明装置から出射され所定領域に所定の入射角で入射する光量の割合（％）を求めている。
以上の条件に基づいて各照明装置における照明効率のシミュレーションを行った結果、
従来の照明装置における照明効率は、４９．８％であり、本発明の照明装置における照明効率は、６７％であった。つまり、本発明の照明装置の照明効率は、従来のものよりも略１．３倍の照明効率を示す結果となった。
【００２０】
上記の構成によれば、光源１０の発光部の位置と前側焦点２２の位置が略同一なので、光源１０から出射されコリメータレンズ２０に入射する光は、コリメータレンズ２０により平行光化される。そのため、所定の領域を所定の角度以内の入射角を持つ光で照明することができ、照明効率を向上することができる。
また、光源１０の発光部の位置と第１焦点３２の位置が略同一であり、前側主点２１の位置と第２焦点３３の位置とが略同一であるため、光源１０から出射され楕円リフレクター３０に入射する光は、前側主点２１位置近傍に集光するように反射される。そのため、反射された光のシステム光軸Ｃに対する角度が小さくなって、所定の領域を所定の角度以内の入射角を持つ光で照明することができ、照明効率を向上することができる。
【００２１】
楕円リフレクター３０の第１焦点３２の位置における直径が、小さくても光源１０における最大外径の略１倍の大きさであるので、光源１０から楕円リフレクター３０側に出射される光は全てコリメータレンズ２０側に反射することができる。
また、上記直径が、大きくても光源１０の最大外径の略１．５倍の大きさであるので、反射された光が照明する所定の領域に入射する入射角が所定の角度より大きくなることを防ぐことができる。そのため、所定の領域を所定の角度以内の入射角で照明する光を確保することができ、照明効率の低下を防止することができる。
さらに、上記直径の上限が光源１０の最大外径の略１．５倍であるので、従来の放物面リフレクターなどを持つ照明装置よりも照明効率を損なうことなくその大きさを小さくすることができる。
【００２２】
[第２の実施の形態]
次に、本発明における第２の実施の形態について図３を参照して説明する。
本実施の形態における照明装置の基本構成は、第１の実施の形態と同様であるが、第１の実施の形態とは、光源の構成が異なっている。よって、本実施の形態においては、図３を用いて光源周辺のみを説明し、コリメータレンズ等の説明を省略する。
図３は、本実施の形態に係る照明装置の側面断面図である。
本実施の形態においては、光源５０として発光ダイオード（以下、ＬＥＤという）素子等の固体光源を用いている。ＬＥＤ素子は、主に、ｐ型半導体およびｎ型半導体を接合したＬＥＤチップと、Ａｌ等の導電材料からなる一対の電極と、樹脂等の透明材料からなるパッケージ５１とによって構成されている。
パッケージ５１は、照明装置２の光出射方向（図３において右方向）が凸曲面５２に形成され、ＬＥＤチップから出射された光が屈折してレンズ効果を示す。パッケージ５１は、全体をエポキシ樹脂などの熱硬化性樹脂によって形成されてもよいし、固体カバーの内部にジェル等を注入して形成してもよい。
【００２３】
コリメータレンズ２０は、コリメータレンズ２０の前側焦点２２と光源５０の虚像５３の位置とが略一致するように配置されている。
光源５０の虚像５３の位置とは、図３に示すように、光源５０から出射された光５５の出射方向を光源５０方向に直線５６で延長して交わる位置のことを示している。また、光源５０の虚像５３とは照明装置の光出射方向から光源５０を眺めたときに見える光源５０の像のことである。
楕円リフレクター３０は、楕円リフレクター３０の第１焦点３２と光源１０の虚像５３とが略一致するとともに、楕円リフレクター３０の第２焦点３３とコリメータレンズ２０の前側主点２１とが略一致するように配置されている。
【００２４】
次に、上記の構成からなる照明装置２における作用について説明する。
光源５０のＬＥＤチップから出射された光５４は、パッケージ５１中を伝搬して凸曲面５２において屈折して光源５０から光５５として出射される。光５５は虚像５３から出射した光とみなせるため、前側焦点２２から出射した光と同様に、コリメータレンズ２０により平行光４１に変換されて照明装置２から出射される。
また、光源５０から楕円リフレクター３０に向けて放射状に照射された光は、第２焦点３３側に向けて反射される。反射された光はシステム光軸Ｃに対する角度が小さくなり、光源５００およびコリメータレンズ２０を透過して、照明装置２から出射される。
【００２５】
上記の構成によれば、虚像５３の位置と前側焦点２２の位置とが略同一なので、光源５０から出射されコリメータレンズ２０に入射する光は、コリメータレンズ２０により平行光化される。そのため、所定の領域を所定の角度以内の入射角を持つ光で照明することができ、照明効率を向上することができる。
また、虚像５３の位置と第１焦点３２の位置とが略同一であり、前側主点２１の位置と第２焦点３３の位置とが略同一であるため、光源５０から出射され楕円リフレクター３０に入射する光は、前側主点２１の位置近傍に集光するように反射される。そのため、反射された光の所定の領域に入射する入射角が小さくなり、所定の領域を所定の角度以内の入射角を持つ光で照明することができ、照明効率を向上することができる。
【００２６】
〔投射型表示装置〕
図４は、本発明に係る照明装置を備えたプロジェクタの説明図である。図中、符号５１２、５１３、５１４は照明装置、５２２、５２３、５２４は液晶ライトバルブ（光変調手段）、５２５はクロスダイクロイックプリズム、５２６は投写レンズ（投写手段）を示している。
【００２７】
図４のプロジェクタ（投射型表示装置）５００は、本実施形態のように構成した３個の照明装置５１２、５１３、５１４を備えている。各照明装置５１２、５１３、５１４の光源には、それぞれ赤（Ｒ）、緑（Ｇ）、青（Ｂ）に発光するＬＥＤ素子が採用されている。なお、各照明装置の後方に、光源光の照度分布を均一化させるための均一照明系として、ロッドレンズやフライアイレンズを配置してもよい。
【００２８】
赤色光源５１２からの光束は、重畳レンズ５３５Ｒを介して反射ミラー５１７で反射され、赤色光用液晶ライトバルブ５２２に入射する。また、緑色光源５１３からの光束は、重畳レンズ５３５Ｇを介して緑色光用液晶ライトバルブ５２３に入射する。また、青色光源５１２からの光束は、反射ミラー５１６で反射され、重畳レンズ５３５Ｂを介して青色光用液晶ライトバルブ５２２に入射する。なお、各光源からの光束は重畳レンズを介することにより液晶ライトバルブの表示領域において重畳され、液晶ライトバルブが均一に照明される。
【００２９】
また、各液晶ライトバルブの入射側および出射側には、偏光板（不図示）が配置されている。そして、各光源からの光束のうち所定方向の直線偏光のみが入射側偏光板を透過して、各液晶ライトバルブに入射する。また、入射側偏光板の前方に偏光変換手段（不図示）を設けてもよい。この場合、入射側偏光板で反射された光束をリサイクルして各液晶ライトバルブに入射させることが可能になり、光の利用効率を向上させることができる。
【００３０】
各液晶ライトバルブ５２２、５２３、５２４によって変調された３つの色光は、クロスダイクロイックプリズム５２５に入射する。このプリズムは４つの直角プリズムが貼り合わされ、その内面に赤色光を反射する誘電体多層膜と青色光を反射する誘電体多層膜とが十字状に形成されている。これらの誘電体多層膜によって３つの色光が合成されてカラー画像を表す光が形成される。合成された光は投写光学系である投写レンズ５２６によりスクリーン５２７上に投写され、拡大された画像が表示される。
【００３１】
上述したように、本実施形態に係る照明装置により光源光の利用効率が向上しているので、光源光のうち画像表示に利用することができる割合が増加している。したがって、画像の輝度を確保することができる。また、液晶ライトバルブ等の光変調手段に対して垂直に近い角度で光束を入射させることができるので、光変調手段においてすべての光束を変調することができる。したがって、画像のコントラスト比を向上させることができる。
【００３２】
なお、本発明の技術範囲は上記実施形態に限定されるものではなく、本発明の趣旨を逸脱しない範囲において種々の変更を加えることが可能である。
例えば、上記の実施の形態においては、本発明の照明装置を３板式の投射型表示装置の照明装置に適応して説明したが、この３板式の投射型表示装置の照明装置に適応されたものに限られることなく、単板式の投射型表示装置の照明装置など、その他各種の投射型表示装置の照明装置に適応することができるものである。
【図面の簡単な説明】
【００３３】
【図１】本発明による第１の実施の形態に係る照明装置の側面断面図である。
【図２】照明装置の照明効率シミュレーションに用いたモデルの概略図である。
【図３】本発明による第２の実施の形態に係る照明装置の側面断面図である。
【図４】本発明に係る照明装置を備えたプロジェクタの説明図である。
【図５】従来技術に係る照明装置の側面断面図である。
【符号の説明】
【００３４】
１、２、５１２、５１３、５１４・・・照明装置、  １０、５０・・・光源、  ２０・・・コリメータレンズ、  ２１・・・前側主点、  ２２・・・前側焦点、  ３０・・・楕円リフレクター、  ３２・・・第１焦点、  ３３・・・第２焦点、  ５１・・・パッケージ、  ５３・・・虚像、  ５００・・・プロジェクタ（投射型表示装置）、  ５２２、５２３、５２４・・・液晶ライトバルブ（光変調手段）、  ５２６・・・投写レンズ（投写手段）
【図１】
2005062446.tif 000003
【図２】
2005062446.tif 000004
【図３】
2005062446.tif 000005
【図４】
2005062446.tif 000006
【図５】
2005062446.tif 000007